【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
所定の演出画像を表示可能な演出表示装置と、
前記演出表示装置に表示される演出画像の表示制御を行う演出表示制御手段と、
前記遊技領域に向けて打ち込まれた遊技球を受け入れ可能な受入口と、
前記受入口への遊技球の受け入れを検出する受入検出手段と、
前記始動口の近傍に設けられ、常には前記受入口に遊技球が受け入れられる期待度に影響を与えない平時態様に制御される可動部材と、
前記受入検出手段による前記受入口への遊技球の受け入れを検出したことに基づいて、常には第１の確率に基づいて大当たりの当落にかかる判定を行う当落判定処理、および、当該当落判定処理にて前記大当たりに当選した場合に当該大当たりの種別を判別する当選種別判定処理、を行う抽選手段と、
前記当落判定処理において前記大当たりに当選したと判定されたことに基づいて遊技者に有利な大当たり遊技を実行可能な大当たり遊技実行手段と、
前記可動部材の態様が常には前記平時態様に制御される通常遊技状態に制御する通常遊技制御手段と、
第１の特定条件が成立した場合に、前記可動部材の態様が前記平時態様よりも有利となる有利遊技状態に制御する有利遊技制御手段と、
第２の特定条件が成立した場合に、前記有利遊技状態と極似する態様であって且つ前記当選種別判定処理にて判定される大当たりの種別に基づいて大当たりとしての価値を増幅させうる増幅遊技状態に制御する増幅遊技制御手段と、
を備える遊技機であって、
前記大当たり遊技実行手段は、
賞球としての所定量の遊技球を遊技者に付与しうる特別大当たり遊技を実行可能な特別大当たり遊技実行手段と、
賞球として遊技者に付与される遊技球が前記所定量よりも少ない特定大当たり遊技を実行可能な特定大当たり遊技実行手段と、
を有しており、
前記有利遊技制御手段は、
前記当選種別判定処理によって判定された大当たりの種別が前記第１の特定条件としての特別大当たりである場合に、当該特別大当たりに基づく大当たり遊技が実行されたのちの遊技状態を、前記可動部材の態様として前記平時態様よりも前記受入口への遊技球の受け入れを促進しうる促進態様が導出される前記有利遊技状態に制御すると共に、前記第１の確率に代えて当該第１の確率より高い第２の確率に基づいて前記当落判定処理をし、且つ当該有利遊技状態である旨を示唆する演出画像を前記演出表示装置に表示するものであり、
前記通常遊技制御手段は、
前記当選種別判定処理によって判定された大当たりの種別が通常大当たりであるとき、当該通常大当たりに基づく大当たり遊技が実行されたのちの遊技状態を前記通常遊技状態に制御し、且つ当該通常遊技状態としての演出画像を前記演出表示装置に表示するとともに、
前記大当たり遊技が実行されたのちに制御される前記通常遊技状態を、前記第１の確率に基づいて前記当落判定処理を行う第１の通常遊技状態、および、前記第１の確率に代えて前記第２の確率に基づいて前記当落判定処理を行う第２の通常遊技状態、のいずれかに制御するものであり、
前記増幅遊技制御手段は、
前記当選種別判定処理によって判定された大当たりの種別が前記第２の特定条件としての特定大当たりである場合に、当該特定大当たりに基づく大当たり遊技が実行されたのちの遊技状態を、前記可動部材の態様として前記通常遊技状態における前記平時態様に代えて前記促進態様を導出すると共に、前記増幅遊技状態である旨を示唆する演出画像が前記演出表示装置に表示されるように表示制御し、且つ前記第１の確率に代えて当該第１の確率よりも前記大当たりへの当選確率が高い第２の確率に基づいて前記当落判定処理を行い、
さらに、前記増幅遊技状態における前記当選種別判定処理において前記通常大当たりへの当選であると判定され、且つ当該通常大当たりが、当該通常大当たりへの当選に基づく大当たり遊技が終了したのちの遊技状態を前記第２の通常遊技状態に制御すべき大当たりであるときは、当該第２の通常遊技状態に代えて前記有利遊技状態に制御することによって、大当たりとしての価値を増幅させうる
ことを特徴とする遊技機。
【請求項２】
前記通常遊技制御手段は、
前記通常大当たりの種別が第１の通常大当たりであるときは、前記大当たり遊技が実行されたのちに制御される前記通常遊技状態を、前記第１の確率に基づいて前記当落判定処理を行う前記第１の通常遊技状態に制御する一方、
前記通常大当たりの種別が第２の通常大当たりであるときは、前記大当たり遊技が実行されたのちに制御される前記通常遊技状態を、前記可動部材の態様を前記平時態様に制御すると共に前記通常遊技状態としての演出画像が前記演出表示装置に表示されるにも拘らず、前記第１の確率に代えて前記第２の確率に基づいて前記当落判定処理を行う前記第２の通常遊技状態に制御する
請求項１に記載の遊技機。
【請求項３】
前記有利遊技状態および前記増幅遊技状態のいずれかにおいて、前記当選種別判定処理にて前記通常大当たりへの当選であると判定された場合に、当該通常大当たりが、当該通常大当たりへの当選に基づく大当たり遊技が終了したのちの遊技状態を前記第１の通常遊技状態に制御すべき前記第１の通常大当たりであるとき、当該第１の通常遊技状態に代えて、前記可動部材を所定条件の成立まで前記促進態様に制御すると共に前記有利遊技状態に引き戻しうる引き戻し遊技状態に制御する引き戻し遊技制御手段
をさらに備えており、
前記引き戻し遊技制御手段は、
前記当選種別判定処理にて前記通常大当たりへの当選であると判定された場合に、当該通常大当たりが、当該通常大当たりへの当選に基づく大当たり遊技が終了したのちの遊技状態を前記第２の通常遊技状態に制御すべき前記第２の通常大当たりであるとき、当該第２の通常遊技状態に代えて前記有利遊技状態に制御する
請求項２に記載の遊技機。
【手続補正２】
【補正対象書類名】明細書
【補正対象項目名】０００７
【補正方法】変更
【補正の内容】
【０００７】
手段１．手段１に記載の遊技機は、遊技領域を有し、当該遊技領域に向けて遊技球が打ち込まれる遊技盤と、所定の演出画像を表示可能な演出表示装置と、前記演出表示装置に表示される演出画像の表示制御を行う演出表示制御手段と、前記遊技領域に向けて打ち込まれた遊技球を受け入れ可能な受入口と、前記受入口への遊技球の受け入れを検出する受入検出手段と、前記始動口の近傍に設けられ、常には前記受入口に遊技球が受け入れられる期待度に影響を与えない平時態様に制御される可動部材と、前記受入検出手段による前記受入口への遊技球の受け入れを検出したことに基づいて、常には第１の確率に基づいて大当たりの当落にかかる判定を行う当落判定処理、および、当該当落判定処理にて前記大当たりに当選した場合に当該大当たりの種別を判別する当選種別判定処理、を行う抽選手段と、前記当落判定処理において前記大当たりに当選したと判定されたことに基づいて遊技者に有利な大当たり遊技を実行可能な大当たり遊技実行手段と、前記可動部材の態様が常には前記平時態様に制御される通常遊技状態に制御する通常遊技制御手段と、第１の特定条件が成立した場合に、前記可動部材の態様が前記平時態様よりも有利となる有利遊技状態に制御する有利遊技制御手段と、第２の特定条件が成立した場合に、前記有利遊技状態と極似する態様であって且つ前記当選種別判定処理にて判定される大当たりの種別に基づいて大当たりとしての価値を増幅させうる増幅遊技状態に制御する増幅遊技制御手段と、を備える遊技機であって、前記大当たり遊技実行手段は、賞球としての所定量の遊技球を遊技者に付与しうる特別大当たり遊技を実行可能な特別大当たり遊技実行手段と、賞球として遊技者に付与される遊技球が前記所定量よりも少ない特定大当たり遊技を実行可能な特定大当たり遊技実行手段と、を有しており、前記有利遊技制御手段は、前記当選種別判定処理によって判定された大当たりの種別が前記第１の特定条件としての特別大当たりである場合に、当該特別大当たりに基づく大当たり遊技が実行されたのちの遊技状態を、前記可動部材の態様として前記平時態様よりも前記受入口への遊技球の受け入れを促進しうる促進態様が導出される前記有利遊技状態に制御すると共に、前記第１の確率に代えて当該第１の確率より高い第２の確率に基づいて前記当落判定処理をし、且つ当該有利遊技状態である旨を示唆する演出画像を前記演出表示装置に表示するものであり、前記通常遊技制御手段は、前記当選種別判定処理によって判定された大当たりの種別が通常大当たりであるとき、当該通常大当たりに基づく大当たり遊技が実行されたのちの遊技状態を前記通常遊技状態に制御し、且つ当該通常遊技状態としての演出画像を前記演出表示装置に表示するとともに、前記大当たり遊技が実行されたのちに制御される前記通常遊技状態を、前記第１の確率に基づいて前記当落判定処理を行う第１の通常遊技状態、および、前記第１の確率に代えて前記第２の確率に基づいて前記当落判定処理を行う第２の通常遊技状態、のいずれかに制御するものであり、前記増幅遊技制御手段は、前記当選種別判定処理によって判定された大当たりの種別が前記第２の特定条件としての特定大当たりである場合に、当該特定大当たりに基づく大当たり遊技が実行されたのちの遊技状態を、前記可動部材の態様として前記通常遊技状態における前記平時態様に代えて前記促進態様を導出すると共に、前記増幅遊技状態である旨を示唆する演出画像が前記演出表示装置に表示されるように表示制御し、且つ前記第１の確率に代えて当該第１の確率よりも前記大当たりへの当選確率が高い第２の確率に基づいて前記当落判定処理を行い、さらに、前記増幅遊技状態における前記当選種別判定処理において前記通常大当たりへの当選であると判定され、且つ当該通常大当たりが、当該通常大当たりへの当選に基づく大当たり遊技が終了したのちの遊技状態を前記第２の通常遊技状態に制御すべき大当たりであるときは、当該第２の通常遊技状態に代えて前記有利遊技状態に制御することによって、大当たりとしての価値を増幅させうることを特徴とする遊技機である。